(57)【要約】      （修正有）【課題】高い発光警告効果を有し、設置時にサイドミラーを取り換える必要が無く、雨が鏡に付着するのを防ぐサイドミラー用発光警告装置を提供する。【解決手段】サイドミラーに着脱可能に外付けされ、正面は鏡が露出するよう開口したカバー１を有し、カバー１の正面開口部の上縁に、鏡より張り出したフード３０を形成し、カバー１の背部外面に、外側から順にランプカバー２１、台座２２、ＬＥＤ発光部２３、底蓋２４を重ねて成る発光装置２０を設置し、ＬＥＤ発光部２３の外面に方向指示灯にあわせて光るＬＥＤ２３１を装着し、台座２２にＬＥＤ２３１を挿通する孔２２１１を穿設し、台座２２の外面にＬＥＤ２３１の光を外方へ反射する反射面を形成し、孔２２１１の外方に、ＬＥＤ２３１から入射した光を反射面へ反射する反射体２２１２を設置する。【選択図】図２
0003120287.tif 000002
【実用新案登録請求の範囲】
【請求項１】
サイドミラーの表面に着脱可能に外付けされると共に、正面は前記サイドミラーの鏡が露出するよう開口したカバーを有し、該カバーの正面開口部の上縁には、前記鏡より張り出したフードが形成され、前記カバーの背部外面には発光装置が設置され、該発光装置は、外側から順にランプカバー、台座、ＬＥＤ発光部及び底蓋を重ねて成り、前記ＬＥＤ発光部の外面には方向指示灯にあわせて光るＬＥＤが装着され、前記台座の前記ＬＥＤと対応した位置には、該ＬＥＤを挿通する孔が穿設されると共に、前記台座の外面において、前記孔の周囲には、様々な角度に折れ曲がっており、前記ＬＥＤから入射した光を外方へ反射する反射面が形成され、前記孔の外方には前記ＬＥＤから入射した光を前記反射面に向けて反射する反射体が設置されたことを特徴とするサイドミラー用発光警告装置。
【請求項２】
前記反射体は、円錐体の表面に反射物質を塗布して成り、その頂点を前記孔の方向に向けて設置されている請求項１に記載のサイドミラー用発光警告装置。
【請求項３】
前記ＬＥＤ発光部の外面においてサイドミラー先端寄りの端部に、方向指示灯にあわせて光る他のＬＥＤをサイドミラー先端に向けて装着され、前記台座に前記他のＬＥＤを挿通する透孔が穿設され、該透孔よりも先端寄りにおいて前記台座の外面に、前記他のＬＥＤの光を反射する反射部が形成された請求項１又は２に記載のサイドミラー用発光警告装置。
【考案の詳細な説明】
【技術分野】
【０００１】
本考案は、サイドミラーの背部表面に装着して、サイド及び後方の車に注意を促すサイドミラー用発光警告装置に関する。
【背景技術】
【０００２】
車は、走行中、曲がる前などに車線を切り替える場合がある。車線を切り替える前に、運転者は方向指示灯を点灯して、サイド及び後方の車に車線を切り替えたいという意思表示を行う。
この種の方向指示灯は、車線切り替えを行う車と並ぶ位置を走行する車からはっきりと見えないため、車体の両側にサイドランプも設置してあるが、サイドランプは位置が低すぎるので、やはりサイドの車の運転者からは死角となることが多い。
【０００３】
そこで、従来、車体の比較的高い位置に設置され、両サイドの車の運転者に、車線を切り替えることを知らせるものとして、発光警告機能を有するサイドミラーが市販されている。
図１に示すように、一般的な発光機能付のサイドミラーａは、前面に鏡をはめ込んだ本体部ａ１の背面に複数の発光部ａ２を並べて設けてある。発光部ａ２は、電球又はＬＥＤであったが、近年は、省電力、明るさ、寿命の長さにおいて優れているＬＥＤが主流となり、電球は徐々に少なくなっている。
【０００４】
しかし、ＬＥＤの光線は多くが直線光であるため、サイドミラーａの発光部ａ２を発光させると、光点が断続的な列として現れ、明るさが減少して十分な警告効果を上げることが難しい。明るさとコストを維持したまま、この問題を解決するのに、メーカーは頭を抱えている。
また、発光部ａ２はサイドミラーａに直接取り付けられているので、取替えの際にはサイドミラー全体を交換しなければならず、交換作業が面倒であるばかりか、費用も高くつく。
【考案の開示】
【考案が解決しようとする課題】
【０００５】
本考案が解決しようとする課題は、高い発光警告効果を有し、設置時にサイドミラーを取り換える必要が無く、雨が鏡に付着するのを防ぐサイドミラー用発光警告装置を提供することにある。
【課題を解決するための手段】
【０００６】
本考案のサイドミラー用発光警告装置は、サイドミラーの表面に着脱可能に外付けされると共に、正面は前記サイドミラーの鏡が露出するよう開口したカバーを有し、該カバーの正面開口部の上縁には、前記鏡より張り出したフードが形成され、前記カバーの背部外面には発光装置が設置され、該発光装置は、外側から順にランプカバー、台座、ＬＥＤ発光部及び底蓋を重ねて成り、前記ＬＥＤ発光部の外面には方向指示灯にあわせて光るＬＥＤが装着され、前記台座の前記ＬＥＤと対応した位置には、該ＬＥＤを挿通する孔が穿設されると共に、前記台座の外面において、前記孔の周囲には、様々な角度に折れ曲がっており、前記ＬＥＤから入射した光を外方へ反射する反射面が形成され、前記孔の外方には前記ＬＥＤから入射した光を前記反射面に向けて反射する反射体が設置される。
【０００７】
前記反射体は、円錐体の表面に反射物質を塗布して成り、その頂点を前記孔の方向に向けて設置しても良い。
前記ＬＥＤ発光部の外面においてサイドミラー先端寄りの端部に、方向指示灯にあわせて光る他のＬＥＤをサイドミラー先端に向けて装着され、前記台座に前記他のＬＥＤを挿通する透孔が穿設され、該透孔よりも先端寄りにおいて前記台座の外面に、前記他のＬＥＤの光を反射する反射部が形成されることもある。
【考案の効果】
【０００８】
本考案によれば、方向指示灯と合わせて光るＬＥＤからの光は、直接反射面に達すると共に、反射体で反射されて反射面に達し、さらに、反射面によって様々な角度に反射されてランプカバーに達するので、ランプカバー全体がほぼ均一に発光し、この結果、少ないＬＥＤで高い発光効率が得られ、製造コストを抑制できると共に、どの方向から見ても十分明るく見えて、高い発光警告効果を発揮できる。
また、雨天で走行する際に、雨水が鏡に付着するのを防ぐことができるため、運転者がサイドミラーで後方や両側の車を確認しやすく、走行時の安全性が高まる。
さらに、カバーをサイドミラーに着脱可能に外付けすることにより装着できるので、設置する際や部品交換の際に、サイドミラー自体を交換する必要が無く、作業が簡単で、部品の無駄を無くすことが可能となる。
【考案を実施するための最良の形態】
【０００９】
本考案のサイドミラー用発光警告装置は、図３に示すように、自動車に取り付けられているサイドミラー２の表面に着脱可能に外付けされるカバー１を有する。
図５に示すように、カバー１の正面はサイドミラー２の鏡２ａが露出するよう開口しており、正面開口部の上縁は鏡２ａよりも前方へ張り出すフード３０となっている。
図２に示すように、カバー１の背部外面には、サイドミラー２の張り出し方向に長いポート１０を形成し、ポート１０に発光装置２０を設置してある。
発光装置２０は、ポート１０の形状に合致するよう、サイドミラー２の張り出し方向に長く形成され、外側から順に、ランプカバー２１、台座２２、ＬＥＤ発光部２３、及び底蓋２４を重ねて成る。
【００１０】
ランプカバー２１は、透明な材質より成り、長手方向及び上下方向において、外方へ凸に湾曲している。
台座２２は、長手方向において外方へ凸に湾曲し、その外面には複数の凹部２２１を設けてある。凹部２２１の表面は様々な角度に折れ曲がった反射面となっており、凹部２２１の中心には孔２２１１を穿設してある。
また、孔２２１１の両側から外方へ延びる支柱の先端には、孔２２１１と対向するように反射体２２１２を装着してある（図４）。
反射体２２１２は、円錐体の表面には反射物質を塗布して成り、その頂点を孔２２１１の方向に向けて設置されている。
【００１１】
台座２２の外面において、サイドミラー２の先端寄りには上下方向に長い透孔２２２を穿設すると共に、これより端部寄りに、断面鋸歯状の反射部２２３を形成する。
また、台座２２の内面には、ＬＥＤ発光部２３及び底蓋２４をはめ込むための嵌合溝２２４を形成し、台座２２の周縁の適宜個所には、カバー１に取り付けるための固定部２２５を設ける。
ＬＥＤ発光部２３は、台座２２の嵌合溝２２４へはまり込む形状の回路板２３２を有し、回路板２３２の外面において、孔２２１１と対応する位置にＬＥＤ２３１を外方へ向けて装着し、透孔２２２の上下端部と対応する位置にそれぞれ他のＬＥＤ２３１’を側方へ向けて装着して成る。
底蓋２４は、台座２２の嵌合溝２２４へはまり込んで固定されるようになっている。
【００１２】
このサイドミラー用発光警告装置は次のようにして組み立てる。
台座２２の嵌合溝２２４へＬＥＤ発光部２３を嵌合して、ＬＥＤ２３１を孔２２１１へ挿通すると共に、他のＬＥＤ２３１’を透孔２２２へ挿通する。さらに、嵌合溝２２４へ底蓋２４を嵌合してＬＥＤ発光部２３の回路板２３２の内面に重ね、ＬＥＤ発光部２３を台座２２に固定する。
次いで、台座２２の外方にランプカバー２１を被せて、嵌め込み或いは粘着によって固定し、発光装置２０を組み立てる。
【００１３】
次いで、組み立てが完了した発光装置２０をポート１０内に組み込み、台座２２の固定部２２５を介してカバー１に固定し、サイドミラー用発光警告装置とする。
そして、このように発光装置２０が組み込まれたカバー１を、図５に示すように、サイドミラー２の背後から被せて固定する。
すると、サイドミラー２の鏡２ａがカバー１の正面開口部を通して露出し、鏡２ａの上方にフード３０が張り出す。
もちろん、サイドミラー用発光警告装置の回路板２３２は、自動車の電気系統と接続する。
【００１４】
サイドミラー２にサイドミラー用発光警告装置を装着すると、方向指示灯を点灯した時にＬＥＤ２３１及び他のＬＥＤ２３１’が光る。
図４に示すように、ＬＥＤ２３１から発する光は、直接凹部２２１の反射面に達して外方へ向けて反射されると共に、いったん反射体２２１２で反射して凹部２２１の反射面に達し、さらに、外方へ向けて反射される。様々な角度に折れ曲がった反射面で反射された光は拡散してランプカバー２１に達する。
【００１５】
一方、他のＬＥＤ２３１’から発する光は、直接ランプカバー２１に達すると共に、反射部２２３で反射されてランプカバー２１に達する。
これにより、ランプカバー２１全体がほぼ均一に発光する。
また、鏡２ａの上方にはフード３０が張り出しているので、雨天で走行する場合には、上方から落下する雨水がフード３０に遮られて鏡２ａに付着しにくく、このため、運転者がサイドミラー２の鏡２ａで後方を確認しやすく、走行時の安全性が高まる。
【図面の簡単な説明】
【００１６】
【図１】従来の発光警告機能付サイドミラーの斜視図。
【図２】本考案の実施例を示すサイドミラー用発光警告装置の分解斜視図。
【図３】本考案の実施例に係るサイドミラー用発光警告装置及びサイドミラーの斜視図。
【図４】ＬＥＤからの光の進路を示すサイドミラー用発光警告装置の断面図。
【図５】サイドミラーに装着したサイドミラー用発光警告装置の断面図。
【符号の説明】
【００１７】
１  カバー
２  サイドミラー
２１  ランプカバー
２２  台座
２２１  凹部
２２１１  孔
２２１２  反射体
２２２  透孔
２２３  反射部
２２４  嵌合溝
２２５  固定部
２３  ＬＥＤ発光部
２３１  ＬＥＤ
２３１’  他のＬＥＤ
２３２  回路板
２４  底蓋
３０  フード
【図１】
0003120287.tif 000003
【図２】
0003120287.tif 000004
【図３】
0003120287.tif 000005
【図４】
0003120287.tif 000006
【図５】
0003120287.tif 000007